(57)【要約】【課題】  取替および調整を便利に行うことが可能な製靴用型を提供する【解決手段】  取替および調整を便利に行うことが可能な製靴用型は、治具（１）、取替シート（２）および調整装置（３）を備える。治具（１）の治具本体（１１）およびスライドユニット（１２）は固定され、スライドユニット（１２）は取替シート（２）に嵌合されるため、取替えの便をはかることができる。取替シート（２）および調整装置（３）は結合し、治具（１）の調整に用いられるため、製品の歩留まりを向上させることができる。【選択図】図１
2014502550.tif 000002
【特許請求の範囲】
【請求項１】
治具、取替シートおよび調整装置を備え、
前記治具は、治具本体およびスライドユニットを有し、
前記取替シートは、移動ユニット、上側シート部および下側シート部を有し、前記上側シート部および前記下側シート部が前記調整装置によって結合されており、
前記調整装置は、上側棒状調整部、下側棒状調整部および調整ユニットを有し、前記上側棒状調整部の一端が前記上側シート部の棒状調整部用穿孔に締め付けられており、前記下側棒状調整部の一端が前記下側シート部の棒状調整部用穿孔に締め付けられており、前記上側棒状調整部の他端および前記下側棒状調整部の他端がそれぞれ前記調整ユニットの両端に締め付けられていることを特徴とする取替および調整を便利に行うことが可能な製靴用型。
【請求項２】
前記治具の前記治具本体および前記スライドユニットは、一体に形成されている、または、着脱および分離可能に形成されていることを特徴とする請求項１に記載の取替および調整を便利に行うことが可能な製靴用型。
【請求項３】
前記スライドユニットは、適切な部位が陥没して形成されている陥没溝および溝孔を有することを特徴とする請求項１に記載の取替および調整を便利に行うことが可能な製靴用型。
【請求項４】
前記取替シートは、ストッパをさらに有することを特徴とする請求項１に記載の取替および調整を便利に行うことが可能な製靴用型。
【請求項５】
前記ストッパは、前記上側シート部に突出するよう一体に形成されている、または、着脱および分離可能に前記上側シート部に形成されていることを特徴とする請求項４に記載の取替および調整を便利に行うことが可能な製靴用型。
【請求項６】
前記移動ユニットは、適切な部位に貫通溝が形成されており、当接装置および嵌合ピンがそれぞれ前記貫通溝に嵌め込まれることを特徴とする請求項１に記載の取替および調整を便利に行うことが可能な製靴用型。
【請求項７】
前記移動ユニットおよび前記上側シート部は、一体に形成されている、または、着脱および分離可能に形成されていることを特徴とする請求項１に記載の取替および調整を便利に行うことが可能な製靴用型。
【請求項８】
前記取替シートと前記上側シート部との間に固定機構が形成されており、
当該固定機構は、前記上側シート部に形成されている固定孔、および、前記取替シートの前記移動ユニットに形成されている固定溝を有し、固定ピンが前記固定孔を貫通し前記固定溝に係止されることで固定を行うことを特徴とする請求項１に記載の取替および調整を便利に行うことが可能な製靴用型。
【請求項９】
前記上側シート部は、適切な部位に係止孔を有し、
前記上側係止ユニットは、前記係止孔に係止されることで前記上側棒状調整部の位置を固定することを特徴とする請求項１に記載の取替および調整を便利に行うことが可能な製靴用型。
【請求項１０】
前記下側シート部は、適切な部位に係止孔を有し、
前記下側係止ユニットは、前記係止孔に係止されることで前記下側棒状調整部の位置を固定することを特徴とする請求項１に記載の取替および調整を便利に行うことが可能な製靴用型。
【請求項１１】
前記調整ユニットは、適切な部位に調整係止孔が形成されており、調整係止ユニットが前記調整係止孔内に装着されることによって角度の固定および調整が完了した前記調整装置を固定することを特徴とする請求項１に記載の取替および調整を便利に行うことが可能な製靴用型。
【発明の詳細な説明】
【技術分野】
【０００１】
本発明は、製靴用型の構造を改良する技術に関し、詳しくは、製造工程のニーズに応じて製靴用型を取り替えたり、固定したりすること、加工物または型の構造の欠陥に応じて後続の修正および調整を行うことによって製造工程の便宜をはかることと、製造工数を短縮し、製品の不良率を低減することによって環境およびグリーンエネルギーを保全することを主な目的とするものに関するものである。
【背景技術】
【０００２】
従来の製靴用型は、製造ラインのスタートから製靴用円盤機に締め付けられ、固定されている。製造ラインで靴底を製造する際、製造したいサイズに対応する靴底の型は円盤機の下方に配置される。そのサイズに対応する製靴用型は円盤機の上方に締め付け、固定される。そのサイズの靴底の製造が完了すると、工具で円盤機から治具を取り外し、そののち別のサイズに対応する治具を円盤機に取り付け、締め付け、固定する。続いて別のサイズの靴底の製造工程を進める。このような製造工程の場合、サイズが異なる治具を取り替えるには機器全体または生産ラインを一時停止しなければならないため、時間が掛かり、厖大な作業が欠かせない。生産ラインまたは機器を再開するには治具の取替え作業の完了を待たなければならないため、非常に不便である。
【０００３】
靴の型、治具またはアッパーにも拘らず、製造過程において、工程のミスが発生するか、長期使用に伴って靴の型または治具またはアッパーのサイズがずれるような状況が発生する。一方、円盤機に締め付けられ、固定された従来の製靴用型は、微調節の機能がない。従って、靴のアッパーの製造過程においてはサイズがずれるような問題が発生し、靴底の製造過程においては工程を矯正することができないため、品質不良の靴を生産し、製品の歩留まりを低下させてしまう。一方、質の悪い靴を廃棄すると、原料が無駄になるだけでなく、環境を保全できないことが発生する。
本発明者は、上述した欠点に鑑み、多年の製造経験に基づいて研究、実験および改良を進めた結果、本発明を完成させた。
【発明の概要】
【発明が解決しようとする課題】
【０００４】
本発明は、取替および調整を便利に行うことが可能な製靴用型を提供することを主な目的とする。
【課題を解決するための手段】
【０００５】
本発明の取替および調整を便利に行うことが可能な製靴用型は、治具、取替シートおよび調整装置を備える。治具は、治具本体およびスライドユニットを有する。取替シートは、移動ユニット、上側シート部および下側シート部を有し、上側シート部および下側シート部が調整装置によって結合されている。調整装置は、上側棒状調整部、下側棒状調整部および調整ユニットを有し、上側棒状調整部の一端が上側シート部の棒状調整部用穿孔に締め付けられており、下側棒状調整部の一端が下側シート部の棒状調整部用穿孔に締め付けられており、上側棒状調整部の他端および下側棒状調整部の他端がそれぞれ前記調整ユニットの両端に締め付けられている。
【０００６】
本発明の取替および調整を便利に行うことが可能な製靴用型は、凸凹嵌合によって治具および取替シートのスライドおよび係止・固定の便をはかり、かつナットおよびねじ山での四点固定調整によって治具の角度を微調整および修正し、製造の速度および製品の歩留まりを向上することができる。
【図面の簡単な説明】
【０００７】
【図１】本発明の一実施形態による取替および調整を便利に行うことが可能な製靴用型を示す斜視分解図である。
【図２】本発明の一実施形態による取替および調整を便利に行うことが可能な製靴用型においての治具および取替シートが結合し、作動する状態を示す断面図である。
【図３】本発明の一実施形態による取替および調整を便利に行うことが可能な製靴用型においての治具および取替シートが結合し、作動する状態を示す断面図である。
【図４】本発明の一実施形態による取替および調整を便利に行うことが可能な製靴用型においての治具および取替シートが結合し、作動する状態を示す断面図である。
【図５】本発明の一実施形態による取替および調整を便利に行うことが可能な製靴用型においての調整装置を作動させて調整を行う状態を示す模式図である。
【図６】本発明の一実施形態による取替および調整を便利に行うことが可能な製靴用型においての調整装置を作動させて調整を行う状態を示す模式図である。
【発明を実施するための形態】
【０００８】
（一実施形態）
図１から図６に示すように、本発明の一実施形態による製靴用治具は、治具１、取替シート２および調整装置３を備える。治具１は治具本体１１と、スライドユニット１２と、スライドユニット１２の適切な部位を貫通した孔１２１とを有する。ボルト１３は孔１２１を貫通し、治具本体１１とスライドユニット１２とを結合させ、固定する。スライドユニット１２は側面に陥没溝１２２および溝孔１２３を有する。取替シート２のボール２３３を陥没溝１２２に嵌め込み、嵌合ピン２４を溝孔１２３に嵌め込むことによって治具１を取替シート２に固定する。
【０００９】
取替シート２は、移動ユニット２１、上側シート部２５および下側シート部２６を有する。上側シート部２５および下側シート部２６は調整装置３によって結合する。移動ユニット２１は上側シート部２５に締め付けられたＬ字型ブロックであり、適切な部位を貫通した複数のねじ孔２１１と、下側を凹ませて形成した複数の固定のための固定溝２１５とを有する。ボルト２１２はねじ孔２１１を貫通し、移動ユニット２１を上側シート部２５に締め付け、固定する。
【００１０】
本実施形態において、移動部２１は上側シート部２５の両側に装着され、上側シート部２５の上方に凹字型溝部を形成する。治具１は凹字型溝部をスライドする。凹字型溝部は二つの移動ユニット２１の間、かつ上側シート部２５の一端に位置するストッパ２２を有する。ストッパ２２は貫通孔２２１を有する。係止ピン２２２は貫通孔２２１を貫通し、上側シート部２５の適切な部位にストッパ２２を固定する。二つの移動ユニット２１は外側に貫通溝２１３、２１４を有する。当接装置２３は貫通溝２１３に嵌め込まれ、嵌合ピン２４は貫通溝２１４に嵌め込まれる。当接装置２３は順に貫通溝２１３に装着された当接ユニット２３１、弾性体２３２およびボール２３３を有する。ボール２３３は一部分が移動ユニット２１の内側面に突出する。係止ピン２４は貫通溝２１４内に配置され、伸縮できるように制御される。
【００１１】
上側シート部２５および下側シート部２６は調整装置３によって結合する。上側シート部２５はねじ溝２５１、棒状調整部用穿孔２５２、ピン孔２５３、係止孔２５４および固定孔２５６を有する。ねじ溝２５１は移動ユニット２１のねじ孔２１１に対応する。ボルト２１２はねじ溝２５１および移動ユニット２１のねじ孔２１１に締め付けられることで移動ユニット２１を上側シート部２５に固定する。上側棒状調整部３１は棒状調整部用穿孔２５２に締め付けられる。ピン孔２５３はストッパ２２の貫通孔２２１に対応する。係止ピン２２２はピン孔２５３およびストッパ２２の貫通孔２２１に差し込まれることでストッパ２２を上側シート部２５に固定する。固定ピン２５７は下方から固定孔２５６を貫通し、移動ユニット２１の固定溝２１５に係止されることで移動ユニット２１および上側シート部２５を固定する。一方、上側シート部２５は側面の適切な部位に係止孔２５４を有する。上側係止ユニット２５５は係止孔２５４に係止され、上側棒状調整部３１の側面に当接することで上側棒状調整部３１を上側シート部２５内に安定させ、固定する。
【００１２】
下側シート部２６は、上側シート部２５６の棒状調整部用穿孔２５２に対応する部位に棒状調整部用穿孔２６１を有し、側面の適切な部位に係止孔２６２を有する。下側棒状調整部３２は棒状調整部用穿孔２６１に締め付けられる。下側係止ユニット２６３は係止孔２６２に係止され、下側棒状調整部３２の側面に当接することで下側棒状調整部３２を下側シート部２６内に安定させ、固定する。
【００１３】
調整装置３は、上側棒状調整部３１、下側棒状調整部３２および調整ユニット３３から構成される。上側棒状調整部３１は一端が上側シート部２５の棒状調整部用穿孔２５２に締め付けられる。下側棒状調整部３２は一端が下側シート部２６の棒状調整部用穿孔２６１に締め付けられる。両者の他端はそれぞれ調整ユニット３３の両端に締め付けられる。調整ユニット３３は側面の適切な部位に調整係止孔３３１を有する。調整係止ユニット３３２は調整係止孔３３１内に装着されるため、調整および固定された位置が移動しにくい。
【００１４】
靴底成形製作工程を進める際、製造したいサイズに対応する治具１をあらかじめ取り、治具１の治具本体１１およびスライドユニット１２を組み立て、靴底製作待ちの靴アッパーを治具本体１１に装着する。続いて上側シート部２５の二つの移動ユニット２１の間に形成された凹字型溝部にスライドユニット１２の一部分を入れ、移動ユニット２１の内側面に突出したボール２３３をスライドユニット１２の側面の陥没溝１２２に嵌め込むことによって移動ユニット２１を固定する。続いて、スライドユニット１２の溝孔１２３に嵌合ピン２４の先端を差し込めば、上側シート部２５に治具１を安定させ、固定することができる。
【００１５】
靴底の注入製作が完了した後、注入されて形になった靴底をしばらく冷却させなければならない。製造時間を短縮し、製造効率を向上させるために、作業員は先に治具を取り外して冷却させ、続いて次の靴底の注入製作を迅速に進める。このとき嵌合ピン２４を引き出し、嵌合ピン２４の先端とスライドユニット１２の溝孔１２３とを分離させ、治具1を下に引っ張ると、ボール２３３は移動ユニット２１に伴って移動し、弾性体２３２は圧縮され、取替シート２の内部へボール２３３を移動させ、治具１は下に引っ張られ、移動ユニット２１の凹字型溝から逸脱する。続いて、上述した入れ方で注入製作待ちの別の治具１を上側シート部２５に装着すれば、治具１を迅速に取り替える効果を達成することができる。
【００１６】
靴のアッパーまたは靴底の型の製造過程において欠陥が発生する、例えば靴のアッパーの底面または側面が斜めになるか、左右の靴底の型の高さおよびサイズに誤差が生じる際、作業員は誤差を計算し、手または工具で上側シート部２５と下側シート部２６の間に位置する調整装置３の調整ユニット３３を動かせば、注入製作によって靴底が形になった靴のアッパーまたは靴底の型の欠陥を修正し、製品の歩留まりおよび形の品質を向上させることができる。調整装置３の調整ユニット３３が適切な部位まで調整される際、作業員は工具で調整係止ユニット３３２を締め付け、調整ユニット３３内に位置する上側棒状調整部３１および下側棒状等西部３２の側縁に当接させ、固定機能を果たせば、作業過程において振動が発生することが原因で角度調整が済んだ治具１を移動させてしまうことを防止し、製品の品質を確保することができる。
【００１７】
長期にわたって使用された移動ユニット２１が損壊し、取替えが必要である際、工具で移動ユニット２１を上側シート部２５から取り外し、新しい移動ユニット２１を上側シート部２５に取り付ければよい。
【００１８】
上述したとおり、本発明による製靴用治具は、構造が革新的で効果が抜群であり、かつ刊行物または市場の既存製品により公開されたことがなく、この技術を熟知した人に簡単に思い付かれるものではないため、新規性の特許要件を満たすと考えられる。一方、本発明の構造変更は提示した図面に限定されない。本発明の基礎原理に基づいた上で付属品を簡単に入れ替えるか増やし、同じ効果またはそれに近い効果を達成することは本発明の請求範囲に属すべきである。
【符号の説明】
【００１９】
１：治具、  
１１：治具本体、  
１２：スライドユニット、  
１２１：孔、  
１２２：陥没溝、  
１２３：溝孔、  
１３：ボルト、  
２：取替シート、
２１：移動ユニット、  
２１１：ねじ孔、  
２１２：ボルト、  
２１３、２１４：貫通溝、  
２１５：固定溝、  
２２：ストッパ、  
２２１：貫通孔、  
２２２：係止ピン、  
２３：当接装置、  
２３１：当接ユニット、  
２３２：弾性体、  
２３３：ボール、  
２４：嵌合ピン、  
２５：上側シート部、  
２５１：ねじ溝、  
２５２：棒状調整部用穿孔、  
２５３：ピン孔、  
２５４：係止孔、  
２５５：上側係止ユニット、
２５６：固定孔、  
２５７：固定ピン、  
２６：下側シート部、  
２６１：棒状調整部用穿孔、  
２６２：係止孔、  
２６３：下側係止ユニット、  
３：調整装置、  
３１：上側棒状調整部、  
３２：下側棒状調整部、  
３３：調整ユニット、  
３３１：調整係止孔、  
３３２：調整係止ユニット。
【図１】
2014502550.tif 000003
【図２】
2014502550.tif 000004
【図３】
2014502550.tif 000005
【図４】
2014502550.tif 000006
【図５】
2014502550.tif 000007
【図６】
2014502550.tif 000008
【国際調査報告】
2014502550.tif 000009
2014502550.tif 000010
2014502550.tif 000011
2014502550.tif 000012
2014502550.tif 000013
2014502550.tif 000014